(57)【要約】【課題】ロングアイアンで打撃されたときの飛行性能に優れたゴルフボール２の提供。【解決手段】  ゴルフボール２は、その表面に複数のディンプル１２と、ランド１４とを有する。このゴルフボール２はさらに、ディンプル１２及びランド１４の表面に形成された多数の微小突起１８を有する。ディンプル１２の平均深さＦavと微小突起１８の平均高さＨavとは、下記数式（１）を満たす。    Ｈav ＜ Ｆav ・ ０．０５      （１）微小突起１８とこの微小突起１８に隣接する他の微小突起１８との間のピッチＰの平均値Ｐavは、１０μｍ以上２０００μｍ以下である。【選択図】図２
2018033477.tif 000002
【特許請求の範囲】
【請求項１】
複数のディンプルと、ランドとを備えたゴルフボールであって、
上記ディンプル及び／又は上記ランドの表面に形成された多数の微小突起をさらに備えており、
上記ディンプルの平均深さＦavと上記微小突起の平均高さＨavとが、下記数式（１）を満たすゴルフボール。
Ｈav ＜ Ｆav ・ ０．０５      （１）
【請求項２】
上記微小突起とこの微小突起に隣接する他の微小突起との間のピッチＰの平均値Ｐavが１０μｍ以上２０００μｍ以下である請求項１に記載のゴルフボール。
【請求項３】
複数の列を有しており、それぞれの列において複数の微小突起が等ピッチで並んでいる請求項１又は２に記載のゴルフボール。
【請求項４】
上記ディンプルの平均面積Ｓavと上記微小突起の底面の平均面積Ｑavとが、下記数式（２）を満たす請求項１から３のいずれかに記載のゴルフボール。
Ｑav ＜ Ｓav ・ ０．０１６      （２）
【請求項５】
本体とこの本体の外側に位置するペイント層とを有しており、
上記微小突起が上記本体の表面形状が反映された形状を有する請求項１から４のいずれかに記載のゴルフボール。
【発明の詳細な説明】
【技術分野】
【０００１】
本発明は、ゴルフボールに関する。詳細には、本発明は、その表面にディンプルを有するゴルフボールに関する。
【背景技術】
【０００２】
ゴルフボールは、その表面に多数のディンプルを備えている。ディンプルは、飛行時のゴルフボール周りの空気の流れを乱し、乱流剥離を起こさせる。この現象は、「乱流化」と称される。乱流化によって空気のゴルフボールからの剥離点が後方にシフトし、抗力が低減される。乱流化によってバックスピンに起因するゴルフボールの上側剥離点と下側剥離点とのズレが助長され、ゴルフボールに作用する揚力が高められる。抗力の低減及び揚力の向上は、「ディンプル効果」と称される。優れたディンプルは、よりよく空気の流れを乱す。優れたディンプルは、大きな飛距離を生む。
【０００３】
特開２０１５−１４２５９９公報には、粗さが大きな表面を有するゴルフボールが開示されている。この粗さは、ブラスト処理等によって形成されうる。この粗さは、ディンプルとの相乗効果により、ゴルフボールの空力特性を高める。
【０００４】
特開２０１１−７２７７６公報には、粒子を含む塗料によって形成されたコーティングを有するゴルフボールが開示されている。この粒子は、ディンプルとの相乗効果により、ゴルフボールの空力特性を高める。
【０００５】
特開平２−６８０７７号公報には、その底部に１つの凸部を有するディンプルを備えたゴルフボールが開示されている。この凸部を有するディンプルは、ゴルフボールの空力特性を高める。
【先行技術文献】
【特許文献】
【０００６】
【特許文献１】特開２０１５−１４２５９９公報
【特許文献２】特開２０１１−７２７７６公報
【特許文献３】特開平２−６８０７７号公報
【発明の概要】
【発明が解決しようとする課題】
【０００７】
ゴルフボールに対するプレーヤーの最大の関心事は、飛距離である。プレーヤーは、飛行性能に優れたゴルフボールを求めている。平均的な能力を有するプレーヤーは、特に、ロングアイアンで打撃されたときの飛行性能に優れたゴルフボールを求めている。
【０００８】
本発明の目的は、ロングアイアンで打撃されたときの飛行性能に優れたゴルフボールの提供にある。
【課題を解決するための手段】
【０００９】
本発明に係るゴルフボールは、複数のディンプルと、ランドとを備える。このゴルフボールは、ディンプル及び／又はランドの表面に形成された多数の微小突起をさらに備える。ディンプルの平均深さＦavと微小突起の平均高さＨavとは、下記数式（１）を満たす。
Ｈav ＜ Ｆav ・ ０．０５      （１）
【００１０】
好ましくは、微小突起とこの微小突起に隣接する他の微小突起との間のピッチＰの平均値Ｐavは、１０μｍ以上２０００μｍ以下である。
【００１１】
ゴルフボールは、複数の列を有しうる。好ましくは、それぞれの列において、複数の微小突起が等ピッチで並ぶ。
【００１２】
好ましくは、ディンプルの平均面積Ｓavと微小突起の底面の平均面積Ｑavとは、下記数式（２）を満たす。
Ｑav ＜ Ｓav ・ ０．０１６      （２）
【００１３】
ゴルフボールは、本体とこの本体の外側に位置するペイント層とを有しうる。好ましくは、微小突起は、本体の表面形状が反映された形状を有する。
【発明の効果】
【００１４】
本発明に係るゴルフボールでは、微小突起が飛行中のゴルフボールのホップを抑制する。このゴルフボールでは、ディンプルと微小突起との相乗効果により、大きな飛距離が達成されうる。
【図面の簡単な説明】
【００１５】
【図１】図１は、本発明の一実施形態に係るゴルフボールが示された一部切り欠き断面図である。
【図２】図２は、図１のゴルフボールの一部が示された拡大断面図である。
【図３】図３は、図１のゴルフボールの表面の一部が示された拡大斜視図である。
【図４】図４は、図１のゴルフボールの一部が示された拡大断面図である。
【図５】図５は、図４のＶ−Ｖ線に沿った断面図である。
【発明を実施するための形態】
【００１６】
以下、適宜図面が参照されつつ、好ましい実施形態に基づいて本発明が詳細に説明される。
【００１７】
図１に示されたゴルフボール２は、球状のコア４と、このコア４の外側に位置する中間層６と、この中間層６の外側に位置するカバー８とを備えている。コア４、中間層６及びカバー８は、ゴルフボール２の本体１０に含まれる。このゴルフボール２は、その表面に多数のディンプル１２を有している。ゴルフボール２の表面のうちディンプル１２以外の部分は、ランド１４である。図１には示されていないが、このゴルフボール２はさらに、後述されるペイント層を有している。ペイント層は、本体１０の外側に位置している。本体１０が、ワンピース構造を有してもよい。本体１０が、ツーピース構造、フォーピース構造、ファイブピース構造等を有してもよい。
【００１８】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。本実施形態に係るゴルフボール２では、その直径は、４２．７ｍｍである。
【００１９】
このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２０】
コア４は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２１】
コア４のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２２】
コア４のゴム組成物が、充填剤、硫黄、加硫促進剤、硫黄化合物、老化防止剤、着色剤、可塑剤及び分散剤のような添加剤を含んでもよい。ゴム組成物が、カルボン酸又はカルボン酸塩を含んでもよい。ゴム組成物が、合成樹脂粉末又は架橋されたゴム粉末を含んでもよい。
【００２３】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が、２以上の層を有してもよい。コア４が、その表面にリブを有してもよい。コア４が中空であってもよい。
【００２４】
中間層６は、樹脂組成物からなる。この樹脂組成物の好ましい基材ポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジウムイオンが例示される。
【００２５】
アイオノマー樹脂に代えて、中間層６の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００２６】
中間層６の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００２７】
中間層６の厚みは０．２ｍｍ以上が好ましく、０．３ｍｍ以上が特に好ましい。中間層６の厚みは２．５ｍｍ以下が好ましく、２．２ｍｍ以下が特に好ましい。中間層６の比重は０．９０以上が好ましく、０．９５以上が特に好ましい。中間層６の比重は１．１０以下が好ましく、１．０５以下が特に好ましい。中間層６が、２以上の層を有してもよい。
【００２８】
カバー８は、樹脂組成物からなる。この樹脂組成物の好ましい基材ポリマーは、ポリウレタンである。樹脂組成物が、熱可塑性ポリウレタンを含んでもよく、熱硬化性ポリウレタンを含んでもよい。生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。
【００２９】
ポリウレタンは、分子内にウレタン結合を有する。このウレタン結合は、ポリオールとポリイソシアネートとの反応によって形成されうる。
【００３０】
ウレタン結合の原料であるポリオールは、複数のヒドロキシル基を有する。低分子量ポリオール及び高分子量ポリオールが用いられうる。
【００３１】
ポリウレタン成分のイソシアネートとして、脂環式ジイソシアネート、芳香族ジイソシアネート及び脂肪族ジイソシアネートが例示される。特に、脂環式ジイソシアネートが好ましい。脂環式ジイソシアネートは主鎖に二重結合を有さないので、カバー８の黄変が抑制される。脂環式ジイソシアネートとして、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。
【００３２】
ポリウレタンに代えて、カバー８の樹脂組成物が他のポリマーを含んでもよい。他のポリマーとして、アイオノマー樹脂、ポリスチレン、ポリアミド、ポリエステル及びポリオレフィンが例示される。樹脂組成物が、２種以上のポリマーを含んでもよい。
【００３３】
カバー８の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。
【００３４】
カバー８の厚みは０．２ｍｍ以上が好ましく、０．３ｍｍ以上が特に好ましい。カバー８の厚みは２．５ｍｍ以下が好ましく、２．２ｍｍ以下が特に好ましい。カバー８の比重は０．９０以上が好ましく、０．９５以上が特に好ましい。カバー８の比重は１．１０以下が好ましく、１．０５以下が特に好ましい。カバー８が、２以上の層を有してもよい。
【００３５】
ゴルフボール２が、中間層６とカバー８との間に、補強層を備えてもよい。補強層は、中間層６と堅固に密着し、カバー８とも堅固に密着する。補強層は、中間層６からのカバー８の剥離を抑制する。補強層は、ポリマー組成物からなる。補強層の基材ポリマーとして、二液硬化型エポキシ樹脂及び二液硬化型ウレタン樹脂が例示される
【００３６】
このゴルフボール２は、下記表１に示されたタイプＩのディンプル仕様を有している。それぞれのディンプル１２の輪郭は円である。このゴルフボール２は、直径が４．６０ｍｍであるディンプルＡと、直径が４．５０ｍｍであるディンプルＢと、直径が４．３０ｍｍであるディンプルＣと、直径が４．２０ｍｍであるディンプルＤと、直径が４．００ｍｍであるディンプルＥと、直径が２．９０ｍｍであるディンプルＦとを備えている。ディンプル１２の種類数は、６である。ゴルフボール２が円形ディンプル１２に代えて、又は円形ディンプル１２と共に、非円形ディンプルを有してもよい。
【００３７】
ディンプルＡの数は７２個であり、ディンプルＢの数は５４個であり、ディンプルＣの数は３０個であり、ディンプルＤの数は５４個であり、ディンプルＥの数は１０８個であり、ディンプルＦの数は１２である。ディンプル１２の総数は、３３０個である。これらのディンプル１２とランド１４とにより、ディンプルパターンが形成されている。
【００３８】
図２には、ディンプル１２の中心及びゴルフボール２の中心を通過する平面に沿った、ゴルフボール２の断面が示されている。図２における上下方向は、ディンプル１２の深さ方向である。図２において二点鎖線１６で示されているのは、仮想球である。仮想球１６の表面は、ディンプル１２及び微小突起（後に詳説）が存在しないと仮定されたときのゴルフボール２の表面である。仮想球１６の直径は、ゴルフボール２の直径と同一である。ディンプル１２は、仮想球１６の表面から凹陥している。ランド１４は、仮想球１６の表面と一致している。
【００３９】
図２において矢印Ｄｍで示されているのは、ディンプル１２の直径である。この直径Ｄｍは、ディンプル１２の両側に共通する接線Ｔｇが画かれたときの、一方の接点Ｅｄと他方の接点Ｅｄとの距離である。接点Ｅｄは、ディンプル１２のエッジでもある。エッジＥｄは、ディンプル１２の輪郭を画定する。
【００４０】
それぞれのディンプル１２の直径Ｄｍは、２．０ｍｍ以上６．０ｍｍ以下が好ましい。直径Ｄｍが２．０ｍｍ以上であるディンプル１２は、乱流化に寄与する。この観点から、直径Ｄｍは２．５ｍｍ以上がより好ましく、２．８ｍｍ以上が特に好ましい。直径Ｄｍが６．０ｍｍ以下であるディンプル１２は、実質的に球であるというゴルフボール２の本質を損ねない。この観点から、直径Ｄｍは５．５ｍｍ以下がより好ましく、５．０ｍｍ以下が特に好ましい。
【００４１】
非円形ディンプルの場合、この非円形ディンプルの面積と同じ面積を有する円形ディンプル１２が仮想される。この仮想されたディンプル１２の直径が、非円形ディンプルの直径と見なされる。
【００４２】
図２において両矢印Ｆで示されているのは、ディンプル１２の深さである。この深さＦは、ディンプル１２の最深部と仮想球１６の表面との距離である。全てのディンプル１２の深さＦが合計され、この合計がディンプル１２の総数で除されることにより、平均深さＦavが算出される。飛行中のゴルフボール２のホップが抑制されるとの観点から、平均深さＦavは０．１０ｍｍ以上が好ましく、０．１３ｍｍ以上がより好ましく、０．１５ｍｍ以上が特に好ましい。飛行中のゴルフボール２のドロップが抑制されるとの観点から、平均深さＦavは０．５０ｍｍ以下が好ましく、０．４５ｍｍ以下がより好ましく、０．４０ｍｍ以下が特に好ましい。
【００４３】
ディンプル１２の面積ｓは、無限遠からゴルフボール２の中心を見た場合の、ディンプル１２の輪郭に囲まれた領域の面積である。円形ディンプル１２の場合、面積Ｓは下記数式によって算出される。
S = (Dm / 2)２ * π
全てのディンプル１２の面積Ｓが合計され、この合計がディンプル１２の数で除されることにより、平均面積Ｓavが算出される。
【００４４】
本実施形態に係るゴルフボール２では、ディンプルＡの面積は１６．６２ｍｍ２であり、ディンプルＢの面積は１５．９０ｍｍ２であり、ディンプルＣの面積は１４．５２ｍｍ２であり、ディンプルＤの面積は１３．８５ｍｍ２であり、ディンプルＥの面積は１２．５７ｍ２であり、ディンプルＦの面積は６．６１ｍｍ２である。このゴルフボール２の平均面積Ｓavは、１４、１７ｍｍ２である。
【００４５】
本発明では、全てのディンプル１２の面積Ｓの合計の、仮想球１６の表面積に対する比率は、占有率Ｓｏと称される。十分な乱流化が得られるとの観点から、占有率Ｓｏは７８．０％以上が好ましく、８０．０％以上がより好ましく、８１．０％以上が特に好ましい。占有率は、９５％以下が好ましい。本実施形態に係るゴルフボール２では、ディンプル１２の合計面積は４６７５．６ｍｍ２である。このゴルフボール２の仮想球１６の表面積は５７２８．０ｍｍ２なので、占有率は８１．６％である。
【００４６】
十分な占有率が達成されるとの観点から、ディンプル１２の総数Ｎは２５０個以上が好ましく、２８０個以上がより好ましく、３００個以上が特に好ましい。個々のディンプル１２が乱流化に寄与しうるとの観点から、総数Ｎは４５０個以下が好ましく、４００個以下がより好ましく、３８０個以下が特に好ましい。
【００４７】
本発明において「ディンプルの容積」とは、仮想球１６の表面とディンプル１２の表面とに囲まれた部分の容積を意味する。飛行中のゴルフボール２のホップが抑制されるとの観点から、ディンプル１２の総容積は４５０ｍｍ３以上が好ましく、４８０ｍｍ３以上がより好ましく、５００ｍｍ３以上が特に好ましい。飛行中のゴルフボール２のドロップが抑制されるとの観点から、総容積は７５０ｍｍ３以下が好ましく、７３０ｍｍ３以下がより好ましく、７１０ｍｍ３以下が特に好ましい。
【００４８】
図３は、図１のゴルフボール２の表面の一部が示された拡大斜視図である。図３から明らかなように、このゴルフボール２は、その表面に多数の微小突起１８を備えている。図２から明らかなように、微小突起１８は、ディンプル１２の表面に形成されており、かつ、ランド１４の表面にも形成されている。それぞれの微小突起１８は、ゴルフボール２の半径方向外向きに起立している。この微小突起１８は、飛行中のゴルフボール２のホップを抑制する。この微小突起１８を有するゴルフボール２は、ロングアイアンで打撃されたときの飛行性能に優れる。微小突起１８が、ディンプル１２の表面のみに形成されてもよい。微小突起１８が、ランド１４の表面のみに形成されてもよい。
【００４９】
図３には、第一列Ｉに属する３つの微小突起１８ａと、第二列IIに属する３つの微小突起１８ｂとが示されている。図３において矢印Ａで示される方向は、列の延在方向である。それぞれの列において、微小突起１８は、等ピッチで並んでいる。換言すれば、微小突起１８は規則的に並んでいる。ゴルフボール２の表面の一部において、微小突起１８が不規則に並んでもよい。
【００５０】
第一列Ｉに属する微小突起１８ａと第二列IIに属する微小突起１８ｂとが、ジグザグに配置されてもよい。換言すれば、第一列Ｉに属する微小突起１８ａの位置が、延在方向Ａにおいて、第二列IIに属する微小突起１８ｂの位置とずれてもよい。
【００５１】
図４は、図１のゴルフボール２の一部が示された拡大断面図である。図４には、本体の一部であるカバー８と、ペイント層２０とが示されている。図４には、微小突起１８が示されている。カバー８は、凸部２２を有している。微小突起１８は、この凸部２２とペイント層２０とによって形成されている。凸部２２がゴルフボール２の半径方向外向き（図４における上向き）に起立しているので、微小突起１８もゴルフボール２の半径方向外向きに起立している。換言すれば、微小突起１８は、本体１０（カバー８）の表面形状が反映された形状を有する。図４において符号２４で示されているのは、微小突起１８の底面である。
【００５２】
図５は、図４のＶ−Ｖ線に沿った断面図である。図５には、微小突起１８の底面２４が示されている。底面２４は、カバー８とペイント層２０とを含んでいる。
【００５３】
図５には、第一の微小突起１８ｃの底面２４ｃと共に、二点鎖線にて、第二の微小突起１８ｄの底面２４ｄも示されている。第二の微小突起１８ｄは、第一の微小突起１８ｃに隣接している。図５において二点鎖線２６で示されているのは、第一の微小突起１８ｃの底面２４ｃの重心Ｏｃと、第二の微小突起１８ｄの底面２４ｄの重心Ｏｄとを通過する直線である。
【００５４】
図５において矢印Ｐで示されているのは、ピッチである。ピッチＰは、第一の微小突起１８ｃと、この第一の微小突起１８ｃに隣接する第二の微小突起１８ｄとの距離である。ピッチＰは、第一の微小突起１８ｃの底面２４ｃの重心Ｏｃと、第二の微小突起１８ｄの底面２４ｄの重心Ｏｄとの距離である。「第一の微小突起に隣接する第二の微小突起」とは、第一の微小突起１８ｃの周辺に存在する微小突起１８のうち、第一の微小突起１８ｃとの距離が最も小さい微小突起１８である。
【００５５】
それぞれの微小突起１８に、１つのピッチＰが決定される。全ての微小突起１８のピッチＰが合計され、この合計が微小突起１８の数で除されることにより、平均ピッチＰavが算出される。平均ピッチＰavは、１０μｍ以上２０００μｍ以下が好ましい。平均ピッチＰavがこの範囲内であるゴルフボール２では、微小突起１８がゴルフボール２のホップを抑制する。この観点から、平均ピッチＰavは２０μｍ以上がより好ましく、３０μｍ以上が特に好ましい。平均ピッチＰavは、１５００μｍ以下がより好ましく、１０００μｍ以下が特に好ましい。
【００５６】
図５において矢印Ｌで示されているのは、第一の微小突起１８ｃとこの第一の微小突起１８ｃに隣接する第二の微小突起１８ｄとの間の距離である。それぞれの微小突起１８に、１つの距離Ｌが決定される。全ての微小突起１８の距離Ｌが合計され、この合計が微小突起１８の数で除されることにより、平均距離Ｌavが算出される。平均距離Ｌavは、５μｍ以上１５００μｍ以下が好ましい。平均距離Ｌavがこの範囲内であるゴルフボール２では、微小突起１８がゴルフボール２のホップを抑制する。この観点から平均距離Ｌavは１０μｍ以上がより好ましく、２０μｍ以上が特に好ましい。平均距離Ｌavは、１０００μｍ以下がより好ましく、５００μｍ以下が特に好ましい。
【００５７】
図４において矢印Ｈで示されているのは、微小突起１８の高さである。高さＨは、ゴルフボール２の半径方向に沿って測定される。全ての微小突起１８の高さＨが合計され、この合計が微小突起１８の数で除されることにより、平均高さＨavが算出される。微小突起１８がゴルフボール２のホップを抑制するとの観点から、平均高さＨavは０．５μｍ以上が好ましく、１．０μｍ以上がより好ましく、３．０μｍ以上が特に好ましい。微小突起１８がディンプル効果を阻害せず、従って十分な揚力が得られうるとの観点から、平均高さＨavは２５μｍ以下が好ましく、２２μｍ以下がより好ましく、２０μｍ以下が特に好ましい。
【００５８】
このゴルフボール２では、ディンプル１２の平均深さＦavと微小突起１８の平均高さＨavとは、下記数式（１）を満たす。
Ｈav ＜ Ｆav ・ ０．０５      （１）
換言すれば、平均高さＨavは、（Ｆav・０．０５）よりも小さい。このゴルフボール２では、微小突起１８がディンプル効果を阻害しない。このゴルフボール２では、十分な揚力が得られうる。この観点から、平均高さＨavは（Ｆav・０．０４）以下がより好ましく、（Ｆav・０．０３）以下が特に好ましい。微小突起１８がゴルフボール２のホップを抑制するとの観点から、平均高さＨavは（Ｆav・０．００５）以上が好ましく、（Ｆav・０．００８）以上がより好ましく、（Ｆ・０．０１０）以上が特に好ましい。
【００５９】
全ての微小突起１８の底面２４の面積Ｑが合計され、この合計が微小突起１８の数で除されることにより、平均面積Ｑavが算出される。微小突起１８がゴルフボール２のホップを抑制するとの観点から、平均面積Ｑavは１０μｍ２以上が好ましく、１００μｍ２以上がより好ましく、５００μｍ２以上が特に好ましい。ディンプル効果を微小突起１８が阻害しないとの観点から、平均面積Ｑavは４００００００μｍ２以下が好ましく、１００００００μｍ２以下がより好ましく、３０００００μｍ２以下が特に好ましい。
【００６０】
微小突起１８がゴルフボール２のホップを抑制するとの観点から、全ての微小突起１８の底面２４の面積Ｑの合計の、仮想球１６の表面積に対する比率は、５％以上が好ましく、１５％以上がより好ましく、２０％以上が特に好ましい。微小突起１８がディンプル効果を阻害しないとの観点から、この比率は８０％以下が好ましく、６０％以下がより好ましく、５０％以下が特に好ましい。
【００６１】
微小突起１８がゴルフボール２のホップを抑制するとの観点から、微小突起１８の総数は５００個以上が好ましく、１０００個以上がより好ましく、２０００個以上が特に好ましい。微小突起１８がディンプル効果を阻害しないとの観点から、この総数は５０００００個以下が好ましく、３０００００個以下がより好ましく、１０００００個以下が特に好ましい。
【００６２】
好ましくは、ディンプル１２の平均面積Ｓavと微小突起１８の底面２４の平均面積Ｑavとは、下記数式（２）を満たす。
Ｑav ＜ Ｓav ・ ０．０１６      （２）
換言すれば、微小突起１８の底面２４の平均面積Ｑavは、（Ｓav・０．０１６）よりも小さい。このゴルフボール２では、微小突起１８がディンプル効果を阻害しない。このゴルフボール２では、十分な揚力が得られうる。この観点から、平均面積Ｑavは（Ｓav・０．０１０）以下がより好ましく、（Ｓav・０．００５）以下が特に好ましい。微小突起１８がゴルフボール２のホップを抑制するとの観点から、平均高さＱavは（Ｓav・０．０００００１）以上が好ましく、（Ｓav・０．００００１）以上がより好ましく、（Ｓ・０．００００３）以上が特に好ましい。
【００６３】
前述の通り、微小突起１８は、本体１０の凸部２２とペイント層２０とを含んでいる（図４参照）。従って、ペイント層２０が本体１０から剥離しても、微小突起１８の形状が概ね維持され、空力特性が概ね維持される。この微小突起１８の形成に、特殊なペイントは必要ない。このゴルフボール２は、容易に製造されうる。
【００６４】
本体１０の凸部２２は、本体１０の成形時に同時に成形される。この成形には、成形型が用いられる。この成形型のキャビティ面は、多数の微小な凹部を有している。それぞれの凹部は、凸部２２の形状がほぼ反転した形状を有する。この成形型は、マスター型から得られうる。このマスター型の製作方法の一例として、エッチングが挙げられる。エッチング時に、多数の微小なマスキングが用いられる。マスキングにより、マスター型に凸部が形成される。マスター型の凸部により、成形型に凹部が形成される。マスキングの位置は、マスター型の凸部の位置に相当し、成形型の凹部の位置に相当し、ゴルフボール２の微小突起１８の位置に相当する。エッチング以外の種々の方法で、マスター型が製作されうる。エッチング以外の方法として、レーザー照射加工が例示される。
【００６５】
前述の通り、微小突起１８はディンプル１２の表面に形成されており、かつ、ランド１４の表面にも形成されている（図２参照）。従ってこのゴルフボール２は、空力特性に極めて優れる。
【００６６】
図２−５に示された微小突起１８の形状は、概ね円柱である。ゴルフボール２が、他の形状の微小突起１８を有してもよい。他の形状として、角柱、角錐台、円錐台、角錐及び円錐が例示される。微小突起の形状が、球の一部であってもよい。微小突起が、複数の立体が組み合わされた形状を有してもよい。
【実施例】
【００６７】
以下、実施例によって本発明の効果が明らかにされるが、この実施例の記載に基づいて本発明が限定的に解釈されるべきではない。
【００６８】
［実施例１］
１００質量部のハイシスポリブタジエン（ＪＳＲ社の商品名「ＢＲ−７３０」）、３５質量部のアクリル酸亜鉛、５質量部の酸化亜鉛、適量の硫酸バリウム、０．５質量部のジフェニルジスルフィド、０．９質量部のジクミルパーオキサイド及び２質量部のオクタン酸亜鉛を混練し、ゴム組成物を得た。このゴム組成物を共に半球状キャビティを備えた上型及び下型からなる金型に投入し、１６０℃で２０分間加熱して、直径が３９．７ｍｍであるコアを得た。所定の質量のコアが得られるように、硫酸バリウムの量を調整した。
【００６９】
５０質量部のアイオノマー樹脂（三井デュポンポリケミカル社の商品名「ハイミラン１６０５」）、５０質量部の他のアイオノマー樹脂（三井デュポンポリケミカル社の商品名「ハイミランＡＭ７３２９」）、４質量部の二酸化チタン及び０．２質量部のウルトラマリンブルーを二軸混練押出機で混練し、樹脂組成物を得た。この樹脂組成物を射出成形法にてコアの周りに被覆し、中間層を形成した。この中間層の厚みは、１．０ｍｍであった。
【００７０】
二液硬化型エポキシ樹脂を基材ポリマーとする塗料組成物（神東塗料社の商品名「ポリン７５０ＬＥ）を調製した。この塗料組成物の主剤液は、３０質量部のビスフェノールＡ型固形エポキシ樹脂と、７０質量部の溶剤とからなる。この塗料組成物の硬化剤液は、４０質量部の変性ポリアミドアミンと、５５質量部の溶剤と、５質量部の二酸化チタンとからなる。主剤液と硬化剤液との質量比は、１／１である。この塗料組成物を中間層の表面にスプレーガンで塗布し、２３℃の雰囲気下で６時間保持して、補強層を得た。この補強層の厚みは、１０μｍであった。
【００７１】
１００質量部の熱可塑性ポリウレタンエラストマー（ＢＡＳＦジャパン社の商品名「エラストランＸＮＹ８５Ａ」）及び４質量部の二酸化チタンを二軸押出機で混練し、樹脂組成物を得た。この樹脂組成物から、圧縮成形法にて、ハーフシェルを得た。２枚のハーフシェルで、コア、中間層及び補強層からなる球体を被覆した。これらのハーフシェル及び球体を、共に半球状キャビティを備え、キャビティ面に多数のピンプル及び微小凹部を備えた上型及び下型からなるファイナル金型に投入し、圧縮成形法にてカバーを得た。カバーの厚みは、０．５ｍｍであった。カバーには、ピンプルの形状が反転した形状を有するディンプルが形成された。カバーにはさらに、微小凹部の形状が反転した形状を有する微小な凸部が形成された。
【００７２】
このカバーの周りに二液硬化型ポリウレタンを基材とするクリアー塗料を塗装し、直径が約４２．７ｍｍであり質量が約４５．６ｇである実施例１のゴルフボールを得た。このゴルフボールは、表面に多数の微小突起を有している。これらの微小突起の仕様が、下記の表１に示されている。
【００７３】
［実施例２−７及び比較例１］
ファイナル金型を変更し、下記の表２−３に示される仕様の微小突起を形成した他は実施例１と同様にして、実施例２−７及び比較例１のゴルフボールを得た。
【００７４】
［比較例２］
ファイナル金型を変更し、凸部を有さないカバーを成形した他は実施例１と同様にして、比較例２のゴルフボールを得た。
【００７５】
［実施例８−１０及び比較例３］
ファイナル金型を変更し、下記の表４に示される仕様のディンプル及び微小突起を形成した他は実施例１と同様にして、実施例８−１０及び比較例３のゴルフボールを得た。
【００７６】
［比較例４］
ファイナル金型を変更し、下記の表４に示される仕様のディンプルを形成し、かつ凸部を有さないカバーを成形した他は実施例１と同様にして、比較例４ゴルフボールを得た。
【００７７】
［フライトテスト］
ゴルフラボラトリー社のスイングマシンに、５番アイアン（ダンロップスポーツ社の商品名「ＳＲＩＸＯＮ  Ｚ７２５」、シャフト硬度：Ｓ、ロフト角：２５．０°）を装着した。ヘッド速度が４１ｍ／ｓｅｃである条件でゴルフボールを打撃して、発射地点から落下地点までの距離を測定した。テスト時は、ほぼ無風であった。２０回の測定で得られたデータの平均値が、下記の表２−４に示されている。
【００７８】
【表１】
2018033477.tif 000003
【００７９】
【表２】
2018033477.tif 000004
【００８０】
【表３】
2018033477.tif 000005
【００８１】
【表４】
2018033477.tif 000006
【００８２】
表２−４に示されるように、各実施例のゴルフボールは、ロングアイアンでの飛行性能に優れている。この評価結果から、本発明の優位性は明らかである。
【産業上の利用可能性】
【００８３】
前述の微小突起は、スリーピースゴルフボールのみならず、ワンピースゴルフボール、ツーピースゴルフボール、フォーピースゴルフボール、ファイブピースゴルフボール、シックスピースゴルフボール、糸巻きゴルフボール等、様々な構造を有するゴルフボールに適用されうる。
【符号の説明】
【００８４】
２・・・ゴルフボール
４・・・コア
６・・・中間層
８・・・カバー
１０・・・本体
１２・・・ディンプル
１４・・・ランド
１６・・・仮想球
１８・・・微小突起
２０・・・ペイント層
２２・・・凸部
２４・・・底面
【図１】
2018033477.tif 000007
【図２】
2018033477.tif 000008
【図３】
2018033477.tif 000009
【図４】
2018033477.tif 000010
【図５】
2018033477.tif 000011